(57)【要約】【課題】小型化を図る。【解決手段】駆動側溝幅可変機構８０と従動側溝幅可変機構１４０を作動させるモータは，モータで駆動されて可動プーリの軸線方向に進退する出力軸７１を有する単一の駆動ユニット９０に組み込んだ構成として，駆動ユニット９０を駆動プーリ６０と従動プーリ７０との間に配置し，動力伝達部１００は，軸線方向へ進退する出力軸９１と連動して両可動プーリの軸線と平行な方向へ進退し，それぞれの可動プーリのボス部に直接または間接的に係合して駆動プーリ６０における可動プーリ６２と従動プーリ７０における可動プーリ７２とをそれぞれ同時に同方向へ同量スライドさせる。【選択図】図３
2010203485.tif 000002
【特許請求の範囲】
【請求項１】
プライマリ軸に支持された駆動プーリと，セカンダリ軸に支持された従動プーリと，これら駆動プーリと従動プーリとの間に架け渡されたＶベルトと，前記駆動プーリにおける可動プーリを該可動プーリの軸線方向へスライドさせることで駆動プーリの溝幅を変更する駆動側溝幅可変機構と，前記従動プーリにおける可動プーリを該可動プーリの軸線方向へスライドさせることで従動プーリの溝幅を変更する従動側溝幅可変機構と，これら両溝幅可変機構を作動させるモータと，このモータの動力を前記両溝幅可変機構へ伝達する動力伝達部とを備えたＶベルト式無段変速機であって，
前記モータは，該モータで駆動されて前記可動プーリの軸線方向に進退する出力軸を有する単一の駆動ユニットに組み込んだ構成として，該駆動ユニットを前記駆動プーリと従動プーリとの間に配置し，前記動力伝達部は，前記軸線方向へ進退する単一の出力軸と連動して前記駆動プーリにおける可動プーリと従動プーリにおける可動プーリとをそれぞれスライドさせることを特徴とするＶベルト式無段変速機。
【請求項２】
前記動力伝達部は，前記駆動プーリにおける可動プーリと従動プーリにおける可動プーリとをそれぞれ同方向へスライドさせることを特徴とする請求項１記載のＶベルト式無段変速機。
【請求項３】
前記動力伝達部は，前記両可動プーリの軸線と平行な方向へ進退し，それぞれの可動プーリのボス部に直接または間接的に係合して該可動プーリをスライドさせる係合部を有することを特徴とする請求項１または２記載のＶベルト式無段変速機。
【請求項４】
前記出力軸の軸線方向からみて該出力軸を前記プライマリ軸とセカンダリ軸とを結んだ線上に配置したことを特徴とする請求項１〜３のうちいずれか一項に記載のＶベルト式無段変速機。
【発明の詳細な説明】
【技術分野】
【０００１】
本発明は，Ｖベルト式無段変速機に関するものである。
【背景技術】
【０００２】
従来，例えば特許文献１（図１）に見られるように，Ｖベルト式無段変速機として，プライマリ軸に支持された駆動プーリ（１）と，セカンダリ軸に支持された従動プーリ（２）と，これら駆動プーリ（１）と従動プーリ（２）との間に架け渡されたＶベルト（３）と，駆動プーリ（１）における可動プーリ（１ｂ）を該可動プーリの軸線方向へスライドさせることで駆動プーリ（１）の溝幅を変更する駆動側溝幅可変機構（６ａ）と，従動プーリ（２）における可動プーリ（２ｂ）を該可動プーリの軸線方向へスライドさせることで従動プーリの溝幅を変更する従動側溝幅可変機構（７ａ）と，これら両溝幅可変機構を作動させるモータ（４）と，このモータ（４）の動力を前記両溝幅可変機構へ伝達する動力伝達部（４２等）とを備えたＶベルト式無段変速機が知られている。
【先行技術文献】
【特許文献】
【０００３】
【特許文献１】特開２００７−３０３６１８号公報
【発明の概要】
【発明が解決しようとする課題】
【０００４】
上述した従来のＶベルト式無段変速機では，モータ（４）はＶベルト式無段変速機の端部に配置されており，動力伝達部は，モータ（４）の出力軸である回転軸に固定されたギア（４１）と，これに噛み合って回転し駆動側溝幅可変機構（６ａ）を作動させるギア（４２）と，このギア（４２）に噛み合って回転するギア（４３）と，このギア（４３）の動力をギア（４５）に伝えるシャフト（４４）と，ギア（４５）に噛み合って回転し駆動側溝幅可変機構（７ａ）を作動させるギア（４６）とを有している。
すなわち，上述した従来のＶベルト式無段変速機では，モータ（４）がＶベルト式無段変速機の端部に配置されているとともに，動力伝達部には複数のギアおよびその軸受部材等を設ける必要があるため，Ｖベルト式無段変速機が大型化しやすいという課題を有していた。
本発明の目的は，上記課題を解決し，小型化できるＶベルト式無段変速機を提供することにある。
【課題を解決するための手段】
【０００５】
上記目的を達成するために本発明のＶベルト式無段変速機は，プライマリ軸に支持された駆動プーリと，セカンダリ軸に支持された従動プーリと，これら駆動プーリと従動プーリとの間に架け渡されたＶベルトと，前記駆動プーリにおける可動プーリを該可動プーリの軸線方向へスライドさせることで駆動プーリの溝幅を変更する駆動側溝幅可変機構と，前記従動プーリにおける可動プーリを該可動プーリの軸線方向へスライドさせることで従動プーリの溝幅を変更する従動側溝幅可変機構と，これら両溝幅可変機構を作動させるモータと，このモータの動力を前記両溝幅可変機構へ伝達する動力伝達部とを備えたＶベルト式無段変速機であって，
前記モータは，該モータで駆動されて前記可動プーリの軸線方向に進退する出力軸を有する単一の駆動ユニットに組み込んだ構成として，該駆動ユニットを前記駆動プーリと従動プーリとの間に配置し，前記動力伝達部は，前記軸線方向へ進退する単一の出力軸と連動して前記駆動プーリにおける可動プーリと従動プーリにおける可動プーリとをそれぞれスライドさせることを特徴とする。
このＶベルト式無段変速機によれば，モータが，該モータで駆動されて前記可動プーリの軸線方向に進退する出力軸を有する単一の駆動ユニットに組み込んだ構成として，該駆動ユニットを前記駆動プーリと従動プーリとの間に配置され，かつ，前記動力伝達部を，前記軸線方向へ進退する単一の出力軸と連動して前記駆動プーリにおける可動プーリと従動プーリにおける可動プーリとをそれぞれスライドさせる動力伝達部となっているので，従来技術の動力伝達部では必要とされた複数のギアおよびその軸受部材を設ける必要がなくなる。
したがって，この発明によれば動力伝達部を小型化でき，結果として，Ｖベルト式無段変速機全体を小型化できる。
望ましくは，前記動力伝達部は，前記駆動プーリにおける可動プーリと従動プーリにおける可動プーリとをそれぞれ同方向へスライドさせる構成とする。
このように構成すると，駆動ユニットにおける出力軸の進退動により，駆動プーリにおける可動プーリと従動プーリにおける可動プーリとを同方向へスライドさせることができるようになるため，動力伝達部を一層小型化できる。
また望ましくは，前記動力伝達部は，前記両可動プーリの軸線と平行な方向へ進退し，それぞれの可動プーリのボス部に直接または間接的に係合して該可動プーリをスライドさせる係合部を有する構成とする。
このように構成すると，動力伝達部を確実に簡素化し，小型化することが可能となる。
また望ましくは，前記出力軸の軸線方向からみて該出力軸を前記プライマリ軸とセカンダリ軸とを結んだ線上に配置した構成とする。
このように構成すると，Ｖベルトが撓んだ際のＶベルトと出力軸との干渉を防止することができる。
【図面の簡単な説明】
【０００６】
【図１】本発明に係るＶベルト式無段変速機の一実施の形態を用いた一例としてのスクータ型の自動二輪車を示す側面図。
【図２】は同自動二輪車におけるＶベルト式無段変速機を備えたパワーユニットの側面図。
【図３】図２における部分省略ＩＩＩ−ＩＩＩ断面図。
【図４】図３の部分拡大図。
【図５】図３における部分省略Ｖ矢視図。
【図６】トルク伝達部１１０の要部を示す分解斜視図。
【図７】他の実施の形態を示す図で，図２における部分省略ＩＩＩ−ＩＩＩ断面図に相当する図である。
【発明を実施するための形態】
【０００７】
以下，本発明に係るＶベルト式無段変速機の実施の形態について図面を参照して説明する。
図１は本発明に係るＶベルト式無段変速機の一実施の形態を用いた一例としてのスクータ型の自動二輪車を示す側面図，図２は同自動二輪車におけるＶベルト式無段変速機を備えたパワーユニットの側面図，図３は図２における部分省略ＩＩＩ−ＩＩＩ断面図である。
図１に示すように，この自動二輪車１０は，車体フレーム１１の後部に，ピボット軸１２とリアクッションユニット１３とでパワーユニット２０を車体フレーム１１に対しピボット軸１２回りに揺動自在に懸架した車両である。ヘッドパイプ１１ｈに操舵自在にフロントフォーク１４を取り付け，このフロントフォーク１４の下端に前輪１５Ｆを取り付けてある。フロントフォーク１４の上部にはステアリングハンドル１５を取り付けてある。
車体フレーム１１は後部に左右一対のシートフレーム１１ｓ（一方のみ図示）を有している。このシートフレーム１１ｓ上に乗員が跨って座るシート１６が設けられ，このシート１６の下方に，上方へ開口する収納ボックス１７が設けられている。収納ボックス１７の後方には燃料タンク１８が配置されている。
【０００８】
パワーユニット２０は，駆動源としてのエンジン３０と，このエンジン３０の後方に設けられている変速機ケース４０とを有している。変速機ケース４０には，エンジン３０の駆動力を後輪１５Ｒに伝達するＶベルト式無段変速機５０が内蔵されている。パワーユニット２０は車体フレーム１１の後端部に揺動自在に取り付けられており，エンジン３０の動力が変速機ケース４０内のＶベルト式無段変速機５０を介して後輪１５Ｒに伝達される。したがって，パワーユニット２０はリヤスイングアームを兼ねている。
【０００９】
主として図３に示すように，エンジン３０は，クランクケース３１と，シリンダブロック３２と，シリンダヘッド３３と，シリンダヘッドカバー３４とを有している。クランクケース３１の前端に略水平方向に指向したシリンダブロック３２が結合され，同シリンダブロック３２の前端にシリンダヘッド３３が結合され，同シリンダヘッド３３の前端にシリンダヘッドカバー３４が結合されている。
クランクケース３１に保持されたボールベアリング３１ｂ，３１ｂでクランク軸３１ｃが回転可能に支持され，シリンダブロック３２内にピストン３２ｐが摺動可能に設けられている。クランク軸３１ｃとピストン３２ｐとがコンロッド３２ｃで連結されており，ピストン３２ｐの往復動でクランク軸３１ｃが回転する。クランク軸３１ｃは後述するプライマリ軸５１を構成する。シリンダヘッド３３には，燃焼室３３ｃに連通する吸気管３５（図１）と排気管３６（図１）が接続されている。図２に示すように吸気管３５には，燃料供給装置３５ａおよびエアクリーナ３５ｃが接続されている。排気装置３６には，消音器（図示せず）が接続される。
【００１０】
図３において，３０ｐは点火プラグ，３０ｃはシリンダヘッドカバー３４内に設けられ，クランク軸３１ｃからチェーンｃを介して回転駆動される動弁用カム軸，３１ｇはクランクケースカバー３１ｅ内においてクランク軸３１ｃ回りに設けられたステータとクランク軸３１ｃに固定されたロータとを有する発電機である。
【００１１】
図３に示すように変速機ケース（単にケースともいう）４０は，前述したパワーユニット２０の一部をなすケースとして構成されている。このケース４０は，右ケース４０Ｒとこれに結合された左ケース４０Ｌとを有している。右ケース４０Ｒは上記クランクケース３１と一体に製作されている。右ケース４０Ｒの後部には，セカンダリ軸５２の回転を減速して後輪軸５５に伝達するギアボックス（４０Ｇ）を構成するギアボックスカバー４０Ｃが結合されている。
【００１２】
図４は図３の部分拡大図，図５は図３における部分省略Ｖ矢視図である。
主として図３に示すように，Ｖベルト式無段変速機５０は，第１のプーリ軸であるプライマリ軸５１に支持された駆動プーリ６０と，第２のプーリ軸であるセカンダリ軸５２に支持された従動プーリ７０と，これら駆動プーリ６０と従動プーリ７０との間に掛け渡されたＶベルト５３とを有している。また，このＶベルト式無段変速機５０は，前記駆動プーリ６０，従動プーリ７０，およびＶベルト５３を収容するケース４０と，前記駆動プーリ６０の溝幅を変更する駆動側溝幅可変機構８０（図４）と，従動プーリ７０の溝幅を変更する従動側溝幅可変機構１４０（図３）と，これら両溝幅可変機構８０，１４０を作動させるモータＭ（図５）を含む駆動ユニット９０と，この駆動ユニット９０の動力を両溝幅可変機構８０，１４０へ伝達する動力伝達部１００とを備えている。
以下，Ｖベルト式無段変速機５０の構成について順次説明する。
【００１３】
図３，図４に示すように，この実施の形態において，プライマリ軸５１は前述したようにクランク軸３１ｃによって構成されている。
プライマリ軸５１は，軸受部材であるベアリング３１ｂ，３１ｂで両端支持される大径部５１ａと，この大径部５１ａに段部５１ｄを介して設けられていて駆動プーリ６０における可動プーリ６２の支持部を構成する小径部５１ｂとを有している。
【００１４】
図４に示すように，この実施の形態では駆動プーリ６０に駆動側溝幅可変機構８０が設けられている。
駆動プーリ６０はプライマリ軸（プーリ軸）５１の軸方向に移動しない固定プーリ（固定半体）６１と，プライマリ軸５１に対し軸方向に移動可能で相対回転不能に取り付けられた可動プーリ（可動半体）６２とを有している。
駆動側溝幅可変機構８０は，可動プーリ６２をプーリ軸５１における可動プーリ６２の支持部５１ｂに沿って軸方向へスライドさせることでプーリ６０の溝幅すなわち固定プーリ６１と可動プーリ６２との間隔を変更するための機構である。
駆動側溝幅可変機構８０は，プーリ軸５１に対し相対回転不能に設けられたトルク伝達部１１０と，可動プーリ６２に設けられていて，トルク伝達部１１０との間でトルク伝達がなされるボス部６３とを有している。
【００１５】
図６はトルク伝達部１１０の要部を示す分解斜視図である。
図４〜図６に示すように，トルク伝達部１１０は，プーリ軸５１の半径方向へ伸びる半径方向部分１１１と，この半径方向部分１１１に一体に設けられていて，軸線方向に伸びる軸線方向部分１１２とを有している。軸線方向部分１１２は，可動プーリ６２の，プーリ軸５１における可動プーリ６２の支持部５１ｂとの対向面（この実施の形態ではボス部６３の内周面）６３ａより半径方向に関して外側に位置している。軸線方向部分１１２は複数（この実施の形態では周方向に等ピッチで３個）設けてある。
【００１６】
トルク伝達部１１０はプライマリ軸５１と一体に形成することもできるが，この実施の形態では，トルク伝達部１１０は，プーリ軸５１と別体の部材（この部材をトルク伝達部材ともいう）で構成してある。
トルク伝達部１１０の半径方向部分１１１は円板状部分１１１ａを半径方向へ３箇所で放射状に延設し，その延設部の先端にそれぞれ軸線方向部分１１２を一体的に形成した形状となっている。
【００１７】
可動プーリ６２のボス部６３には，トルク伝達部１１０の軸線方向部分１１２との間でトルク伝達がなされるトルク伝達面６４が設けられている。このトルク伝達面６４は軸線方向部分１１２に対し軸線方向へ相対移動可能である。
可動プーリ６２のボス部６３には，トルク伝達部１１０の軸線方向部分１１２が挿入される穴６５が設けられている。この穴６５は横断面扇形であり軸線方向部分１１２の横断面と対応し，略合致している。この穴６５の円周方向における端面がトルク伝達面６４を形成している。軸線方向部分１１２はボス部６３の穴６５に挿入された状態で，上述したように，ボス部６３の内周面６３ａより半径方向に関して外側に位置する。
【００１８】
トルク伝達部１１０の軸線方向部分１１２と，ボス部６３におけるトルク伝達面６４との間には，合成樹脂製（例えばポリアミド樹脂（例えばＰＡ６６）に硬化材（例えばカーボン）を混合させて所望の硬度とした材料）の緩衝部材６６が設けられる。
緩衝部材６６は，トルク伝達部１１０における軸線方向部分１１２の先端部内側に装着されるもので，軸線方向部分１１２の先端部に適合した形状を有している。図６に示す緩衝部材６６は，湾曲状の内周壁部６６ａと，両側壁部６６ｂ，６６ｂと，底壁部６６ｃと，内周壁部６６ａにおいて半径方向外方へ向けて突出した突起６６ｄとを有する一体成型品である。
【００１９】
トルク伝達部１１０の軸線方向部分１１２には穴１１２ｄが設けられている。
緩衝部材６６は，内周壁部６６ａの突起６６ｄを軸線方向部分１１２の穴１１２ｄに嵌め合わせるようにして，内周壁部６６ａを軸線方向部分１１２の先端部分の内側に接合させることで軸線方向部分１１２の先端部分に装着される。
軸線方向部分１１２は緩衝部材６６が装着された状態で緩衝部材６６とともにボス部６３の穴６５に挿入される。緩衝部材６６が穴６５に挿入された状態では，緩衝部材６６の側壁部６６ｂにおける外側面６６ｂ１がボス部６３におけるトルク伝達面６４と当接するトルク伝達面を構成する。
【００２０】
緩衝部材６６は軸線方向部分１１２とともにボス部６３の穴６５内を軸線方向へスライド可能であるが，緩衝部材６６の突起６６ｄと軸線方向部分１１２の穴１１２ｄとが係合しているので，軸線方向部分１１２がスライドしても緩衝部材６６が軸線方向部分１１２から外れることはない。
【００２１】
なお，図６においては，緩衝部材６６を，軸線方向部分１１２の先端部内側に装着する構成を示してあるが，緩衝部材６６は軸線方向部分１１２の先端部外側に装着する構成とすることもできる。また，軸線方向部分１１２には緩衝部材６６を装着しない構成とすることもでき，その場合には，軸線方向部分１１２の側面が，ボス部６３におけるトルク伝達面６４と当接するトルク伝達面を構成する。
【００２２】
図５，図６において，６７は円筒部材である。この円筒部材６７は，可動プーリ６２のボス部６３に挿通されかつプーリ軸５１の小径部５１ｂに装着される。図４に示すように，小径部５１ｂの先端にはダブルナット６８が装着され，このダブルナット６８により，プライマリ軸５１の段部５１ｄとの間に，トルク伝達部材１１０，円筒部材６７，および固定プーリ６１が共締めされて，小径部５１ｂ上に固定される。すなわち，トルク伝達部材１１０は，半径方向部分１１１が，円筒部材６７の一端部６７ａと，前記段部５１ｄとで挟持されることで，プーリ軸５１に対し相対回転不能に固定される。また，固定プーリ６１は，円筒部材６７の他端部６７ｂと，ダブルナット６８とで挟持されることで，プーリ軸５１に対し相対回転不能に固定される。
【００２３】
可動プーリ６２は，上述したように，ボス部６３の穴６５にトルク伝達部１１０の軸線方向部分１１２が挿入されることにより，プーリ軸５１に対し相対回転不能かつスライド可能に装着される。
図４，図５に示すように，可動プーリ６２のボス部６３の外周には，該可動プーリ６２をスライドさせるため係合部材１２０が配置される。係合部材１２０については，動力伝達部１００とともに後に詳しく説明する。
【００２４】
図４，図５に示すように，駆動ユニット９０は，駆動源であるモータ（サーボモータ）Ｍ（図５）が収容されたモータ部Ｍ１（図４）と，モータＭの動力により作動する該駆動ユニット９０の出力軸９１とを備え，この出力軸９１が前記プライマリ軸５１，およびセカンダリ軸５２と平行に配置されている。
駆動ユニット９０は，モータＭの動力を出力軸９１へ伝達する減速ギア列９２を備えている。減速ギア列９２の最終段のギア９２ｅには同心状にボールネジ（雄ネジ）９３が結合されている。出力軸９１の基部側は円筒状に形成され，その内面にボールネジ（雌ネジ）９１ｂが形成されていて，この雌ネジ９１ｂが，ボールネジ（雄ネジ）９３に螺合している。したがって，モータＭの駆動で減速ギア列９２を介してボールネジ９３が回転すると，その回転方向に応じて出力軸９１が，その軸線方向（図４における矢印Ｘ１，Ｘ２方向）へ進退動する。
【００２５】
駆動ユニット９０は，減速ギア列９２を収容したギアケース９４を，ケース４０内に設けた取付部４１（図３）にネジ９５で締め付けることでケース４０内において固定されている。この実施の形態では，左ケース４０Ｌにネジ４２で着脱可能に装着されることで左ケース４０Ｌの一部をなすサイドカバー４０ＬＣでギアケース９４（すなわち駆動ユニット９０）を覆うことにより，駆動ユニット９０をケース４０内に収容した構成としたが，サイドカバー４０ＬＣを左ケース４０Ｌと完全に一体化して駆動ユニット９０および動力伝達部１００をケース４０内に収容する構成とすることもできる。
【００２６】
図４に示すように，出力軸９１の先端９１ａは駆動ユニット９０のモータ部Ｍ１よりもＶベルト５３側へ向けて突出させ，出力軸９１と直交する方向からみて該出力軸９１の少なくとも一部９１ｃを前記Ｖベルトのベルト幅Ｗ内に配置してある。モータ部Ｍ１は，ベルト幅Ｗ外に配置してある。図２，図５に示すように，出力軸９１は，出力軸９１の軸線方向からみてＶベルト５３の回転軌跡内５３ｉにおいてプライマリ軸５１とセカンダリ軸５２とを結んだ線Ｌ１上に配置してある。図４に示すように減速ギア列９２は，Ｖベルト５３のベルト幅Ｗ外に配置するとともに，図５に示すように，減速ギア列９２は出力軸９１の軸線方向からみてＶベルト５３と重なるように配置する。
【００２７】
図４，図５に示すように，動力伝達部１００は，駆動ユニット９０の動力を前記駆動側溝幅可変機構８０，および従動側溝幅可変機構１４０へ同時に伝達するためのものであるが，溝幅可変機構８０への動力伝達部分と従動側溝幅可変機構１４０への動力伝達部分とは基本的に同一構成となっているので，溝幅可変機構８０への動力伝達部分を代表させて説明する。なお，従動側溝幅可変機構１４０への動力伝達部分については，必要に応じて後述する。
動力伝達部１００は上記係合部材１２０と連結部材１３０とを有している。係合部材１２０と連結部材１３０とはネジ１３１で結合されている。連結部材１３０はネジ１３２で出力軸９１に結合されている。したがって，出力軸９１が進退動すると，それと一緒に連結部材１３０および係合部材１２０も進退動する。
図４に示すように，連結部材１３０における出力軸９１との連結部１３３は，出力軸９１の先端面９１ｅに連結してある。
【００２８】
図５に示すように，係合部材１２０は，可動プーリ６２のボス部６３に間接的に係合して可動プーリ６２をスライドさせる係合部１２１を有している。図４に示すように，可動プーリ６２のボス部６３の外周には，ベアリング６９がボス部６３の軸線方向にスライド不能に固定されている。このベアリング６９の外周には同じく軸線方向にスライド不能に係合リング１２２が固定されている。係合リング１２２の外周には，リング状の係合溝１２３が設けられており，この係合溝１２３に上記係合部材１２０の係合部１２１が係合している。このように，図示のものでは，係合部材１２０の係合部１２１を，可動プーリ６２のボス部６３に間接的に（係合リング１２２およびベアリング６９を介して）係合させたが，係合部１２１をボス部６３に直接的に係合させることも可能である。
【００２９】
係合部１２１は，図４に示すように，可動プーリ６２の軸線方向に関し，可動プーリ６２と該可動プーリ６２が取り付けられるプーリ軸５１を支持する軸受部３１ｂとの間において該軸受部３１ｂに隣接して配置してある。すなわち，係合部１２１は，軸受部３１ｂにできるだけ近づけて配置してある。係合部１２１は，プーリ軸５１を挟んで対向する少なくとも２箇所において可動プーリ６２のボス部６３に係合させることが望ましく，この実施の形態では，係合部１２１は，プーリ軸５１に関し（すなわちボス部６３の回転中心に関し）点対称状に２箇所において係合させてある。
【００３０】
図３に示すように，Ｖベルト式無段変速機５０の従動軸であるセカンダリ軸５２は，上記ケース４０の左ケース４０Ｌおよびギアボックスカバー４０Ｃに回転自在に支持されている。このセカンダリ軸５２に遠心クラッチ５４を介して従動プーリ７０が設けてある。
従動プーリ７０は固定プーリ（固定半体）７１と可動プーリ（可動半体）７２とを備えている。上記駆動プーリ６０と従動プーリ７０とに無端状Ｖベルト５３が掛け渡され，駆動プーリ６０の回転が従動プーリ７０に伝達される。従動プーリ７０の回転数が所定回転数を越えると，従動プーリ７０とセカンダリ軸５２との間に設けられている遠心クラッチ５４が接続状態となり，セカンダリ軸５２が回転を始める。
【００３１】
セカンダリ軸５２の回転を減速して後輪軸５５に伝達するギア列（ギアボックス）４０Ｇは，セカンダリ軸５２に設けられたギア５２ｇと，このギア５２ｇに噛み合う大径のギア１４１と，この大ギア１４１より小径で大ギア１４１とともに回転する小ギア１４２と，この小ギア１４２と噛み合う大ギア１４３とを有している。大ギア１４３は後輪軸５５に相対回転不能に取り付けられている。
したがって，セカンダリ軸５２の回転は減速されて後輪軸５５に伝達され，後輪軸５５に取り付けられた後輪１５Ｒ（図１）が駆動されることとなる。
【００３２】
従動プーリ７０における固定プーリ７１は，セカンダリ軸５２に対し，相対回転可能，スライド不能に取り付けられている。固定プーリ７１のボス部７１ｂに遠心クラッチ５４のインナーロータ５４ｉが固定されている。遠心クラッチ５４のアウターロータ５４ｏは，そのボス部５４ｂがセカンダリ軸５２に対し回転不能に固定されている。したがって，可動プーリ７２およびインナーロータ５４ｉの回転数が所定回転数を越えて，インナーロータ５４ｉとアウターロータ５４ｏとが接続状態となると，アウターロータ５４ｏとともにセカンダリ軸５２が回転する。なお，固定プーリ７１と可動プーリ７２にはＶベルト５３が巻き掛けられているので，固定プーリ７１は可動プーリ７２とともに回転する。
【００３３】
従動プーリ７０における可動プーリ７２は，セカンダリ軸５２に対し回転可能かつスライド可能に取り付けられている。
従動側溝幅可変機構１４０は，可動プーリ７２をセカンダリ軸５２に沿って軸方向へスライドさせることで従動プーリ７０の溝幅すなわち固定プーリ７１と可動プーリ７２との間隔を変更するための機構である。
従動側溝幅可変機構１４０は，セカンダリ軸５２に対し回転可能に設けられたスリーブ１４１と，このスリーブ１４１の軸線方向に設けられた複数本のスリット１４２と，このスリット１４２に対しスライド可能でセカンダリ軸５２回りに回動不能にそれぞれ係合したピン１４３と，これらのピン１４３によってスリーブ１４１と連結された可動プーリ７２のボス部７２ｂとを有して構成されている。したがって，可動プーリ７２は，セカンダリ軸５２に対しスリーブ１４１とともに回転可能であり，かつピン１４３がスリット１４２に沿ってスライドする範囲でセカンダリ軸５２の軸方向へスライド可能である。なお，固定プーリ７１はスリーブ１４１に対して固定されており，スリーブ１４１とともに回転可能である。
【００３４】
可動プーリ７２のボス部７２ｂの外周には，ベアリング１４４がボス部７２ｂの軸線方向にスライド不能に固定されている。このベアリング１４４の外周には同じく軸線方向にスライド不能に係合リング１４５が固定されている。係合リング１４５の外周には，リング状の係合溝１４５ｃが設けられており，この係合溝１４５ｃに上記係合部材１２０と同様に連結部材１３０に連結された係合部材１２０Ｒの係合部１２１Ｒが係合している。
したがって，駆動ユニット９０の動力は，動力伝達部１００を介して溝幅可変機構８０へ伝達されると同時に従動側溝幅可変機構１４０へ伝達され，駆動ユニット９０の出力軸９１が進退動すると，これに応じて，駆動プーリ６０における可動プーリ６２と従動プーリ７０における可動プーリ７２とがそれぞれ同時に同方向へ同量スライドすることとなる。
【００３５】
スリーブ１４１の先端部には，ベアリング７４を介してリング状のバネ受け７５が設けられ，このバネ受け７５と，上記係合リング１４５との間に圧縮バネ（コイルスプリング）７３が設けられている。
このコイルスプリング７３により，係合リング１４５を介して可動プーリ７２は常時固定プーリ７１方向へ向けて付勢されており，この付勢力（バネ力）によって固定プーリ７１と可動プーリ７２とによるＶベルト５３への挟圧力が確保され，したがってＶベルト５３のテンションも確保されるが，可動プーリ７２（したがって可動プーリ６２）の位置自体は駆動ユニット９０の作動によって以下のように制御される。
【００３６】
すなわち，図示しない制御部による制御で駆動ユニット９０が作動し，図４において出力軸９１が矢印Ｘ１方向へ突出して可動プーリ６２，７２がＸ１方向へスライドすると，駆動プーリ６０においては固定プーリ６１と可動プーリ６２との間隔が広くなってＶベルト５３の駆動プーリ６０への巻き掛け径が小さくなるとともに，従動プーリ７０においては固定プーリ７１と可動プーリ７２との間隔が狭くなってＶベルト５３の巻き掛け径が大きくなり，高負荷にも耐えられるように後輪１５Ｒが低速で回転駆動されることとなる。
逆に，出力軸９１が矢印Ｘ２方向へスライドして可動プーリ６２，７２がＸ２方向へスライドすると，駆動プーリ６０においては固定プーリ６１と可動プーリ６２との間隔が狭くなってＶベルト５３の駆動プーリ６０への巻き掛け径が大きくなるとともに，従動プーリ７０においては固定プーリ７１と可動プーリ７２との間隔が広くなってＶベルト５３の巻き掛け径が小さくなり，後輪１５Ｒが高速で回転駆動されることとなる。
【００３７】
以上のようなＶベルト式無段変速機５０によれば次のような作用効果が得られる。
（ａ）モータＭが，該モータで駆動されて可動プーリ６２，７２の軸線方向に進退する出力軸９１を有する単一の駆動ユニット９０に組み込んだ構成として，該駆動ユニット９０を駆動プーリ６０と従動プーリ７０との間に配置され，かつ，動力伝達部１００が，軸線方向へ進退する単一の出力軸９１と連動して駆動プーリ６０における可動プーリ６２と従動プーリ７０における可動プーリ７２とをそれぞれスライドさせる動力伝達部となっているので，従来技術の動力伝達部では必要とされた複数のギアおよびその軸受部材を設ける必要がなくなる。
したがって，この実施の形態によれば動力伝達部１００を小型化でき，結果として，Ｖベルト式無段変速機５０全体を小型化できる。
（ｂ）動力伝達部１００は，駆動プーリ６０における可動プーリ６２と従動プーリ７０における可動プーリ７２とをそれぞれ同時に同方向へ同量スライドさせるので，駆動ユニット９０における出力軸９１の進退動により，駆動プーリ６０における可動プーリ６２と従動プーリ７０における可動プーリ７２とを同方向へスライドさせることができるようになるため，動力伝達部を一層小型化できる。
例えば，仮に，動力伝達部１００により，駆動プーリ６０における可動プーリ６２と従動プーリ７０における可動プーリ７２とを逆方向へスライドさせようとすると，出力軸９１の移動方向を逆転して伝えるためのリンク機構等が必要になるため，動力伝達部１００が大型化するおそれが大きくなるが，この実施の形態では，動力伝達部１００は，駆動プーリ６０における可動プーリ６２と従動プーリ７０における可動プーリ７２とをそれぞれ同方向へスライドさせるので，そのようなおそれがなくなり，結果として動力伝達部１００を小型化することができるようになる。
（ｃ）動力伝達部１００は，両可動プーリ６２，７２の軸線と平行な方向へ進退し，それぞれの可動プーリのボス部に直接または間接的に係合して該可動プーリをスライドさせる係合部１２１，１２１Ｒを有しているので，動力伝達部１００を確実に簡素化し，小型化することが可能となる。
（ｄ）出力軸９１の軸線方向からみて該出力軸９１をプライマリ軸５１とセカンダリ軸５２とを結んだ線Ｌ１上に配置したので，Ｖベルト５３が撓んだ際のＶベルト５３と出力軸９１（およびその周辺部材）との干渉を防止することができる。
【００３８】
（ｅ）動力伝達部１００における駆動側の係合部１２１を，可動プーリ６２の軸線方向に関し，可動プーリ６２と該可動プーリ６２が取り付けられるプーリ軸５１を支持する軸受部３１ｂとの間において該軸受部３１ｂに隣接して配置したので，係合部１２１が可動プーリ６２をスライドさせる際に，プーリ軸５１に対し，該プーリ軸５１と直交する方向の力が作用したとしても，プーリ軸５１が撓みにくくなって可動プーリ６２が円滑にスライドしやすくなる。
（ｆ）係合部１２１は，プーリ軸５１を挟んで対向する少なくとも２箇所において可動プーリ６２のボス部６３に係合するので，係合部１２１が可動プーリ６２をスライドさせる際に，プーリ軸５１に対し，該プーリ軸と直交する方向の力が作用しにくくなり，プーリ軸５１が一層撓みにくくなって可動プーリ６２がより円滑にスライドしやすくなる。従動側の係合部１２１Ｒについても同様である。
（ｇ）動力伝達部１００は駆動ユニット９０の出力軸９１との連結部１３３を有し，該連結部１３３は出力軸９１の先端面９１ｅに連結されているので，出力軸９１の先端回りにおける，Ｖベルト５３方向への連結部１３３の突出を無くすか，少なくとも低減させることが可能となり，連結部１３３とＶベルト５３との干渉を防止することが可能となる。
【００３９】
図７は他の実施の形態を示す図で，図２における部分省略ＩＩＩ−ＩＩＩ断面図に相当する図である。
この実施の形態が上述した実施の形態と異なる点は，従動プーリ７０における可動プーリ７２を出力軸９１に連動させてスライドさせるための係合部材１２０Ｒを，リンク機構１３４を介して作動させるようにした点にある。
このように構成すると，単一の出力軸９１を用いて，駆動側の可動プーリ６２と従動側の可動プーリ７２のスライド量を変えることができる。
【００４０】
以上，本発明の実施の形態について説明したが，本発明は上記の実施の形態に限定されるものではなく，本発明の要旨の範囲内において適宜変形実施可能である。
【符号の説明】
【００４１】
３１ｂ  軸受部，４０    変速機ケース，５０    Ｖベルト式無段変速機，５１    プライマリ軸，５１ａ  大径部，５１ｂ  支持部（小径部），５１ｄ  段部，５２    セカンダリ軸，５３    Ｖベルト，６０    駆動プーリ，６２    可動プーリ，６３    ボス部，６３ａ  対向面，６４    トルク伝達面，６６    緩衝部材，６７    円筒部材，７０    従動プーリ，７２  可動プーリ７２，８０    溝幅可変機構，９０    駆動ユニット，９１    出力軸，９１ａ  先端面，９２    減速ギア列，１００    動力伝達部，１１０    トルク伝達部，１１１    半径方向部分，１１２    軸線方向部分，１２０    係合部材，１２１    係合部，１３０    連結部材，１３３    連結部，１４０  従動側溝幅可変機構。
【図１】
2010203485.tif 000003
【図２】
2010203485.tif 000004
【図３】
2010203485.tif 000005
【図４】
2010203485.tif 000006
【図５】
2010203485.tif 000007
【図６】
2010203485.tif 000008
【図７】
2010203485.tif 000009